(57)【要約】【課題】ハードディスクレコーダにおいて、同一の録画ファイルを繰り返して再生しても、その録画ファイルの経時的な磁気劣化によって再生ミスが発生しないようにする。【解決手段】録画ファイルＡの再生が開始されると、同時に、録画ファイルＡが圧縮復号化された状態のままハードディスクの空き領域Ｓに複製（コピー）される。録画ファイルＡの複製が完了し、その後、再生が終了すると、複製元の録画ファイルＡが削除され、この削除された領域が新たな空き領域Ｓ”となる。このようにして、録画ファイルＡの記録場所が録画ファイルＡの再生のたびに自動的に移動され、録画ファイルＡの磁気劣化が防止される。【選択図】      図２
2004215183.tif 000002
【特許請求の範囲】
【請求項１】
放送局から放送された映像／音声信号（ＡＶ信号）を受信する受信手段と、この受信手段が受信したＡＶ信号、又は外部から入力されたＡＶ信号を圧縮符号化する信号符号手段と、ハードディスク内に作成した録画ファイルに前記信号符号手段が圧縮符号化したＡＶ信号を記録するハードディスク装置と、前記ハードディスクに記録されたＡＶ信号を伸張復号化する信号復号手段と、この信号復号手段が伸張復号化したＡＶ信号を、外部に接続されたモニタ装置が再生可能な信号に変換する信号変換手段とを備えたハードディスクレコーダにおいて、
前記ハードディスク内の録画ファイルに記録されたＡＶ信号を読み出して、この読み出したＡＶ信号を前記信号復号手段に伸張復号化させ、この伸張復号化されたＡＶ信号を前記信号変換手段に変換させ、前記モニタ装置に出力させることにより該ファイルを再生するファイル再生手段と、
このファイル再生手段が前記録画ファイルの再生を開始するとき、ハードディスク内に該録画ファイルを複製するための空き領域が存在するかを確認する空き領域確認手段と、
前記ハードディスク内に空き領域が存在するとき、該録画ファイルを前記空き領域に複製するファイル複製手段と、
このファイル複製手段による録画ファイルの複製、及び前記ファイル再生手段による録画ファイルの再生が終了した後、複製元の録画ファイルを削除するファイル削除手段とを有し、
前記ハードディスク装置に記録された録画ファイルを再生しながら、該録画ファイルの記録場所を移動させることを特徴とするハードディスクレコーダ。
【請求項２】
映像／音声信号（ＡＶ信号）を符号化する信号符号手段と、ハードディスク内に作成した録画ファイルに前記信号符号手段が符号化したＡＶ信号を記録するハードディスク装置と、前記ハードディスクに記録されたＡＶ信号を復号化する信号復号手段とを備えたハードディスクレコーダにおいて、
前記ハードディスク内の録画ファイルに記録されたＡＶ信号を読み出して、この読み出したＡＶ信号を前記信号復号手段に復号化させることにより該ファイルを再生するファイル再生手段と、
このファイル再生手段が前記録画ファイルを再生するとき、該録画ファイルを前記ハードディスク内の空き領域に複製するファイル複製手段と、
前記ファイル複製手段による録画ファイルの複製が終了した後、複製元の録画ファイルを削除するファイル削除手段とを有し、
前記ハードディスク装置に記録された録画ファイルを再生しながら、該録画ファイルの記録場所を移動させることを特徴とするハードディスクレコーダ。
【請求項３】
前記ハードディスクに記録されている録画ファイルのＡＶ信号は、前記信号符号手段によって圧縮符号化され、前記信号復号手段によって伸張復号化されることを特徴とする請求項２に記載のハードディスクレコーダ。
【発明の詳細な説明】
【０００１】
【発明の属する技術分野】
本発明は、映像／音声信号を記録・再生するハードディスクレコーダに関するものである。
【０００２】
【従来の技術】
従来から、映像／音声信号（ＡＶ信号）を記録するにあたっては、ＤＶＤ（Ｄｉｇｉｔａｌ  Ｖｅｒｓａｔｉｌｅ  Ｄｉｓｋ）に代表されるような、大容量のデジタル信号の記録に適した光ディスクが利用されている。現在、ＤＶＤの記録メディアとしては、書き替えのできないＤＶＤ−Ｒに加えて、書き替えのできるＤＶＤ−ＲＷ、ＤＶＤ＋ＲＷ、ＤＶＤ−ＲＡＭ等が普及している。
【０００３】
このような書き替え可能な光ディスクにＡＶ信号を記録する光ディスク記録装置は、ＡＶ信号の記録箇所を管理する管理情報を光ディスクに記録し、ＡＶ信号にランダムアクセスできるように構成されている。ところが、管理情報は光ディスク内の特定の記録領域に記録されているので、光ディスクの書き替え回数が多くなると反復書き替えにより劣化し、ついには、管理情報を記録することができなくなる。そこで、光ディスクの書き替え回数をカウントし、その回数が所定の回数を超えたとき管理情報の記録場所を移動させることにより、書き替え回数の増加に伴うデータ記録の信頼性の低下を防止するようにした光ディスク記録装置が知られている（例えば、特許文献１参照）。
【０００４】
また、最近では、ＡＶ信号をハードディスクに記録するハードディスクレコーダが登場し、デジタル放送の配信開始と相まって、急速に普及しつつある。このようなハードディスクレコーダにあっては、ＡＶ信号は、ハードディスクの内周側から外周側に亘って、又は外周側から内周側に亘って、空き領域に順次記録される。
【０００５】
【特許文献１】
特開平１１−２３８３１７号公報
【０００６】
【発明が解決しようとする課題】
しかしながら、上記のハードディスクレコーダにあっては、ユーザが気に入った録画ファイルを繰り返して再生すると、ハードディスク内の同じ領域（セクタ）のＡＶ信号ばかりが再生されるため、経時的に該領域のＡＶ信号が磁気劣化し、再生ミスを起こす可能性がある。このような繰り返し再生に関わる問題は、上記特許文献１に示された光ディスク記録装置を応用しても解決することができない。
【０００７】
本発明は、上述した問題点を解決するためになされたものであり、同一の録画ファイルを繰り返し再生しても、同一の領域ばかりが再生されることがないようにして、当該録画ファイルの磁気劣化によって再生ミスを起こすことがないようにしたハードディスクレコーダを提供することを目的とする。
【０００８】
【課題を解決するための手段】
上記目的を達成するために請求項１の発明は、放送局から放送された映像／音声信号（ＡＶ信号）を受信する受信手段と、この受信手段が受信したＡＶ信号、又は外部から入力されたＡＶ信号を圧縮符号化する信号符号手段と、ハードディスク内に作成した録画ファイルに信号符号手段が圧縮符号化したＡＶ信号を記録するハードディスク装置と、ハードディスクに記録されたＡＶ信号を伸張復号化する信号復号手段と、この信号復号手段が伸張復号化したＡＶ信号を、外部に接続されたモニタ装置が再生可能な信号に変換する信号変換手段とを備えたハードディスクレコーダにおいて、ハードディスク内の録画ファイルに記録されたＡＶ信号を読み出して、この読み出したＡＶ信号を信号復号手段に伸張復号化させ、この伸張復号化されたＡＶ信号を信号変換手段に変換させ、モニタ装置に出力させることにより該ファイルを再生するファイル再生手段と、このファイル再生手段が録画ファイルの再生を開始するとき、ハードディスク内に該録画ファイルを複製するための空き領域が存在するかを確認する空き領域確認手段と、ハードディスク内に空き領域が存在するとき、該録画ファイルを空き領域に複製するファイル複製手段と、このファイル複製手段による録画ファイルの複製、及びファイル再生手段による録画ファイルの再生が終了した後、複製元の録画ファイルを削除するファイル削除手段とを有し、ハードディスク装置に記録された録画ファイルを再生しながら、該録画ファイルの記録場所を移動させるものである。
【０００９】
この構成においては、放送局から放送されたＡＶ信号又は外部入力端子等から入力されたＡＶ信号をハードディスクに作成した録画ファイルに記録する。その後、録画ファイルの再生が開始されると、ハードディスク内に該録画ファイルを複製するための空き領域が存在するかを確認し、空き領域が存在する場合は、この空き領域に録画ファイルを複製する。ここで、ハードディスクに記録されている録画ファイルは、信号符号手段によって圧縮符号化されているので、その容量が小さく、録画ファイルの複製は再生と比べて短時間で行われる。そして、ファイル再生が終了すると複製元の録画ファイルを削除して再生当初の空き領域を確保する。このようにすれば、ユーザが録画ファイルを視聴している間に、該録画ファイルの記録場所が自動的に移動され、同一の録画ファイルを繰り返し再生しても同じ領域のＡＶ信号ばかりが再生されるのを回避することができる。また、上述のごとく、複製をすべき録画ファイルの容量が小さいので、ユーザが早送りしながら録画ファイルを再生した場合、又はファイルの再生を途中で中止した場合等のように再生時間が短い場合であっても、録画ファイルの複製は迅速に行われ、再生よりも先に終了され、ユーザに違和感を与えない。また、仮に録画ファイルの再生時間が極めて短く（例えば、数１０秒程度）、録画ファイルの複製処理が間に合わない場合であっても、録画ファイルの複製が完了しなければ、複製元の録画ファイルが削除されないので、貴重な録画ファイルが誤って削除される虞もない。さらに、ハードディスク内に録画ファイルを複製するための空き領域が存在しないときは録画ファイルの移動を行わないので、録画ファイルが必要以上に分断されることもない。
【００１０】
請求項２の発明は、映像／音声信号（ＡＶ信号）を符号化する信号符号手段と、ハードディスク内に作成した録画ファイルに信号符号手段が符号化したＡＶ信号を記録するハードディスク装置と、ハードディスクに記録されたＡＶ信号を復号化する信号復号手段とを備えたハードディスクレコーダにおいて、ハードディスク内の録画ファイルに記録されたＡＶ信号を読み出して、この読み出したＡＶ信号を信号復号手段に復号化させることにより該ファイルを再生するファイル再生手段と、このファイル再生手段が録画ファイルを再生するとき、該録画ファイルをハードディスク内の空き領域に複製するファイル複製手段と、ファイル複製手段による録画ファイルの複製が終了した後、複製元の録画ファイルを削除するファイル削除手段とを有し、ハードディスク装置に記録された録画ファイルを再生しながら、該録画ファイルの記録場所を移動させるものである。
【００１１】
この構成においては、録画ファイルの再生開始時に、ハードディスク内の空き領域に録画ファイルを複製する。このファイル複製が終了した後、ファイル再生が終了すると、複製元の録画ファイルを削除して再生当初の空き領域を確保する。このようにすれば、ユーザが録画ファイルを視聴している間に、該録画ファイルの記録場所が自動的に移動され、同一の録画ファイルを繰り返し再生しても同じ領域のＡＶ信号ばかりが再生されるのを回避することができる。また、録画ファイルの再生時間が短く、録画ファイルの複製処理が間に合わない場合であっても、録画ファイルの複製が完了しなければ、複製元の録画ファイルが削除されないので、貴重な録画ファイルが誤って削除される虞もない。
【００１２】
請求項３の発明は、請求項２に記載のハードディスクレコーダにおいて、ハードディスクに記録されている録画ファイルのＡＶ信号は、信号符号手段によって圧縮符号化され、信号復号手段によって伸張復号化されるものである。この構成においては、ハードディスクに記録されている録画ファイルは、信号符号手段によって圧縮符号化されているので、その容量が小さく、録画ファイルの複製は再生と比べて短時間で行われる。従って、ユーザが早送りしながら録画ファイルを再生した場合、又はファイルの再生を途中で中止した場合であっても、録画ファイルの移動は迅速に行われ、再生よりも先に終了され、ユーザに違和感を与えない。
【００１３】
【発明の実施の形態】
本発明の一実施形態によるハードディスクレコーダについて図面を参照して説明する。図１はハードディスクレコーダのブロック構成を示している。ハードディスクレコーダ１は、ＡＶ信号を入出力するＡＶブロック２と、ＡＶ信号をハードディスク３１に記録するハードディスク装置３と、ＤＶＤに記録されたＡＶ信号を再生するＤＶＤ再生装置４と、ハードディスクレコーダ１のフロントパネルに装着され、ユーザが操作を行うときのインタフェースとして機能するフロントパネルブロック５と、ＡＶ信号を符号・復号すると共に、ハードディスクレコーダ１の各ブロックを制御するメインブロック６と、各ブロックに電源を供給する電源装置７等によって構成されており、放送局から放送されたＡＶ信号等をハードディスク３１に録画して再生するＡＶ機器である。
【００１４】
ＡＶブロック２は、テレビジョン放送を受信するＴＶチューナ（受信手段）２１と、ＡＶ信号をＡ／Ｄ変換又はＤ／Ａ変換する信号処理部（信号変換手段）２２と、ＡＶブロックの制御を司るマイコン２３と、ＡＶ出力端子２４、ＡＶ入力端子（外部入力端子）２５、デジタル音声出力端子２６及びＡＶ入出力端子２７等によって構成される。ＴＶチューナ２１は、アンテナ２８が接続されるＲＦ入力端子２１ａを備え、放送局から放送されたＡＶ信号及び番組選択のためのＶＰＳ信号、ＰＤＣ信号を受信する。信号処理部２２は、ＡＶ入出力端子２７から入力されたデジタルのＡＶ信号をアナログに変換してＡＶ出力端子２４を介してモニタ装置８に出力すると共に、ハードディスクレコーダ１の外部からＡＶ入力端子２５を介して入力されたアナログのＡＶ信号をデジタルに変換してＡＶ入出力端子２７に出力する。マイコン２３は、フロントパネルＣＰＵ５４及びメインＣＰＵ６３と随時通信を行いながらＡＶブロック２を制御する。
【００１５】
ハードディスク装置３は、４０ＧＢ／プラッタのハードディスク３１を内蔵し、メインブロック６内で圧縮符号化されたＡＶ信号をハードディスク３１に記録する。ハードディスク装置３のインターフェースはＡＴＡ／ＩＤＥ規格に準拠され、ハードディスク装置３とメインブロック６とは、ＡＴＡ／ＩＤＥコネクタ３２，６６を介して接続されている。
【００１６】
フロントパネルブロック５は、リモコン装置（リモートコントローラ）９から送信された赤外線信号を受光する赤外線受光器５１と、ユーザが操作指令を直接入力するための操作キー５２と、ハードディスクレコーダ１の動作状態を表示するＶＦＤ（Ｖａｃｕｕｍ  Ｆｌｕｏｒｅｓｃｅｎｔ  Ｄｉｓｐｌａｙ）５３と、フロントパネルブロック５の制御を司るフロントパネルＣＰＵ５４等によって構成され、ハードディスクレコーダ１とユーザとのインターフェースとして機能する。すなわち、ユーザは、ＶＦＤ５３の表示を確認しながらリモコン装置９又は操作キー５２を操作することによって、テレビジョン放送の録画指令や録画ファイルの再生指令をハードディスクレコーダ１に入力することができる。
【００１７】
メインブロック６は、ＡＶ信号をＭＰＥＧ２（Ｍｏｖｉｎｇ  Ｐｉｃｔｕｒｅ  Ｅｘｐｅｒｔｓ  ＧｒｏｕｐＰｈａｓｅ  ２）規格に準拠して圧縮符号化又は伸張復号化するＣＯＤＥＣ（信号符号手段、信号復号手段）６１と、ＣＯＤＥＣ６１が圧縮符号化又は伸張復号化するＡＶ信号を一時的に記憶するメモリ（ＳＤＲＡＭ）６２と、ハードディスクレコーダ１の制御を司るメインＣＰＵ（ファイル再生手段、空き領域確認手段、ファイル複製手段と、ファイル削除手段）６３と、メインＣＰＵ６３の動作プログラムが格納されたフラッシュメモリ６４と、ハードディスク３１に記録する録画ファイルのＡＶ信号を一時的に記憶するメモリ（ＳＤＲＡＭ）６５と、ＡＴＡ／ＩＤＥコネクタ６６と、ＡＶ入出力端子６７と、サービス用ポート６８等によって構成されている。メモリ６２及びメモリ６５は、記憶領域を分割して使用する単一のメモリによって構成されていてもよい。メインＣＰＵ６３は、所定のＯＳ（例えば、Ｖｘ  Ｗｏｒｋｓ）に基づいて動作し、ＣＯＤＥＣ６１を制御する他、ハードディスク装置３、ＡＶブロック２を制御するマイコン２３、及びフロントパネルブロック５３を制御するフロントパネルＣＰＵ５４と接続され、これらとの間で通信を行いながらハードディスクレコーダ１の各部を制御する。
【００１８】
上記のように構成されたハードディスクレコーダ１は、ユーザによってリモコン装置９又は操作キー５２を介して入力された再生指令を受け録画ファイルを再生するとき、ハードディスク３１の空き領域に該録画ファイルを自動的に移動する機能を有している。
【００１９】
図２は、ハードディスクレコーダ１のハードディスク３１内の記録領域を模式的に示している。ハードディスク３１の記録領域には、当初、録画ファイルＡ及び録画ファイルＢが記録されており、空き領域Ｓが存在している。ここで、録画ファイルＡの再生指令が入力されると、メインＣＰＵ６３の指令を受けたＣＯＤＥＣ６１によって録画ファイルＡのＡＶ信号が伸張復号化され、信号処理部２２によってＤ／Ａ変換され、モニタ装置８に出力される。同時に、再生を開始した録画ファイルＡが圧縮復号化された状態のままハードディスク３１の空き領域Ｓに複製（コピー）される。このとき、ハードディスク３１の空き領域は、図中の空き領域Ｓ’で示されるように、一時的に減少する。また、複製される録画ファイルＡは、圧縮復号化されたままの状態であるので、その容量は小さく、通常、録画ファイルＡの再生が終了する以前に複製が完了する。
【００２０】
録画ファイルＡの複製が完了し、さらに再生が終了すると、複製元の録画ファイルＡが削除され、この削除された領域が新たな空き領域Ｓ”とされる。従って、再生後の空き領域Ｓ’と空き領域Ｓ”との合計領域は、再生当初の空き領域Ｓと同等とされる。このようにして、録画ファイルＡの再生中に録画ファイルＡの記録場所が自動的に移動される。録画ファイルＢが再生される場合についても、上記と同様である。
【００２１】
録画ファイルの再生時におけるメインＣＰＵ６３の処理について、図３を参照して説明する。ハードディスクレコーダ１がスタンバイ状態のとき（＃１）、ユーザによる録画ファイルの再生開始指令の入力を待つ（＃２においてＮＯ）。再生開始指令が入力されると（＃２においてＹＥＳ）、ハードディスク３１内の空き領域Ｓを調査し、録画ファイルを移動（複製）するための容量が存在するかを確認する（＃３）。空き領域Ｓに録画ファイルの移動容量が存在すれば（＃３においてＹＥＳ）、録画ファイルの複製と再生を開始する（＃６）。ここでは、録画ファイルの複製を先行させてもよいし、再生を先行させてもよい。
【００２２】
録画ファイルの複製が終了すると（＃７）、再生ファイルの終了を待つ（＃８においてＮＯ）。そして、録画ファイルの再生が終了すると（＃８においてＹＥＳ）、再生していた録画ファイル（復製元の録画ファイル）のデータを削除して当初の空き領域Ｓと同等の空き領域を確保して（＃９）、処理を終了する。なお、ハードディスク３１内に録画ファイルを移動（複製）するための空き領域Ｓが存在しないときは（＃３においてＮＯ）、通常の再生処理を実行し（＃４）、録画ファイルの再生終了を待つ（＃５においてＮＯ）。そして、録画ファイルの再生が終了すると（＃５においてＹＥＳ）、処理を終了する。
【００２３】
このように、ハードディスクレコーダ１によれば、ユーザが録画ファイルを再生するたびに、録画ファイルがハードディスク３１の空き領域内で転々と移動するので、ユーザが気に入った録画ファイルを繰り返し再生しても、ハードディスク３１内の同じ領域ばかりが使用されることがなくなる。これにより、録画ファイルを記録している領域の経時的な磁気劣化が防止され、ハードディスク３１の特定領域の故障（ＡＶデータの再生不能）を防止することができる。
【００２４】
また、ＣＯＤＥＣ６１によって圧縮符号化されたＡＶ信号をハードディスク２１に記録するように構成しているので、録画ファイルの複製は通常の再生よりも短時間で終了する。従って、ユーザが早送りしながら録画ファイルを再生した場合等、再生時間が短い場合であっても、録画ファイルの移動は問題なく行われる。仮に、録画ファイルの再生時間が極めて短く（例えば、数１０秒程度）、録画ファイルの複製処理が間に合わない場合であっても、録画ファイルの複製が完了しなければ、複製元の録画ファイルが削除されないので、貴重な録画ファイルが誤って削除される虞もない。
【００２５】
また、録画ファイルの記録容量が極めて大きい場合や、ハードディスク３１内の空き領域Ｓが狭く、録画ファイルを全て複製できない場合にあっては、該録画ファイルの移動を行わないので、録画ファイルが必要以上に分断されることもない。
【００２６】
なお、本発明は上記実施形態の構成に限られることなく種々の変形が可能であり、例えば、ハードディスク３１に記録するＡＶ信号は、ＭＰＥＧ２規格に準拠して圧縮復号化された信号に限られることなく、ＭＰＥＧ４等の他の規格に準拠して圧縮復号化された信号であってもよい。また、優れた画質及び音質を記録・再生するために、非圧縮のデジタル信号を記録するようにしても構わない。この場合にあっては、ハードディスク３１の記録速度及び記録容量を確保するために、複数のハードディスク装置３によって分散処理を行うように構成することが望ましい。
【００２７】
また、ハードディスク３１に記録するＡＶ信号は、放送局から放送されるＡＶ信号に限られることなく、ビデオカセットテープに記録されたＡＶ信号であってもよい。この場合にあっては、ビデオカセットテープに記録されたＡＶ信号をビデオカセットプレーヤによって再生し、ＡＶ入力端子２５を介してハードディスクレコーダ１に入力するようにすればよい。
【００２８】
また、メインブロック６は、メインＣＰＵ６３、ＣＯＤＥＣ６１、メモリ６２，６５を統合化した１チップのＬＳＩで構成されていてもよい。また、信号処理部２２がＡＶブロック２に含まれる形態に限られることなく、メインブロック６に含まれる形態であってもよい。さらに、デジタル信号の入力に対応するモニタ装置８を接続する場合は、信号処理部２２を省略した構成であっても構わない。
【００２９】
【発明の効果】
以上のように請求項１の発明によれば、ユーザが録画ファイルを再生するたびに、録画ファイルがハードディスクの空き領域内で転々と移動するので、ユーザが気に入った録画ファイルを繰り返し再生しても、ハードディスク内の同じ領域ばかりが使用されることがなくなる。これにより、録画ファイルを記録している領域の経時的な磁気劣化が防止され、ハードディスクの特定領域の故障（ＡＶデータの再生不能）を防止することができる。また、信号符号手段によって圧縮符号化されたＡＶ信号をハードディスクに記録するように構成しているので、録画ファイルの複製は通常の再生よりも短時間で終了する。従って、ユーザが早送りしながら録画ファイルを再生した場合等、再生時間が短い場合であっても、録画ファイルの移動は問題なく行われる。
【００３０】
請求項２の発明によれば、ユーザが録画ファイルを再生するたびに、録画ファイルがハードディスクの空き領域内で転々と移動するので、ユーザが気に入った録画ファイルを繰り返し再生しても、ハードディスク内の同じ領域ばかりが使用されることがなくなる。これにより、録画ファイルを記録している領域の経時的な磁気劣化が防止され、ハードディスクの特定領域の故障（ＡＶデータの再生不能）を防止することができる。
【００３１】
請求項３の発明によれば、信号符号手段によって圧縮符号化されたＡＶ信号をハードディスクに記録するように構成しているので、録画ファイルの複製は短時間で終了する。従って、ユーザが早送りしながら録画ファイルを再生した場合等、再生時間が短い場合であっても、録画ファイルの移動は問題なく行われる。
【図面の簡単な説明】
【図１】本発明の一実施形態によるハードディスクレコーダの構成を示すブロック図。
【図２】同レコーダのハードディスク内の録画ファイル記録領域を示す図。
【図３】同レコーダのメインＣＰＵのファイル再生時における処理を示すフローチャート。
【符号の説明】
１    ハードディスクレコーダ
３    ハードディスク装置
２１    ＴＶチューナ（受信手段）
２２    信号処理部（信号変換手段）
３１    ハードディスク
６１    ＣＯＤＥＣ（信号符号手段、信号復号手段）
６２    メモリ（ＳＤＲＡＭ）
６３    メインＣＰＵ（ファイル再生手段、空き領域確認手段、ファイル複製手段、ファイル削除手段）
【図１】
2004215183.tif 000003
【図２】
2004215183.tif 000004
【図３】
2004215183.tif 000005